(57)【要約】【課題】保守作業員が安全に保守作業を行うために、容易な操作でエレベータの運転状態を切り替えることのできるエレベータ保守作業用安全スイッチ及びエレベータを提供することである。【解決手段】エレベータの乗りかごの上に設けられ、エレベータの運転状態を切り替えるスイッチ本体部６０と、エレベータの乗りかごの上に設けられた安全柵が倒伏状態にあるときにスイッチ本体部６０をオンするように作動する押圧部２０と、安全柵が倒伏状態から起立状態に移行するときにスイッチ本体部６０をオフするように押圧部２０を作動させる押圧作動部３０と、を備えることを特徴とするエレベータ保守作業用安全スイッチ１０及びそのエレベータ保守作業用安全スイッチ１０を有するエレベータである。【選択図】図４
2010070320.tif 000002
【特許請求の範囲】
【請求項１】
エレベータの乗りかごの上に設けられ、エレベータの運転状態を切り替えるスイッチ本体部と、
エレベータの乗りかごの上に設けられた安全柵が倒伏状態にあるときにスイッチ本体部をオンするように作動する押圧部と、
安全柵が倒伏状態から起立状態に移行するときにスイッチ本体部をオフするように押圧部を作動させる押圧作動部と、
を備えることを特徴とするエレベータ保守作業用安全スイッチ。
【請求項２】
請求項１に記載のエレベータ保守作業用安全スイッチにおいて、
押圧部は、
安全柵が起立状態から倒伏状態に移行するときに安全柵が押圧部に当接しながら押圧部を押し動かし、押圧部からの押圧によってスイッチ本体部をオンさせることを特徴とするエレベータ保守作業用安全スイッチ。
【請求項３】
請求項２に記載のエレベータ保守作業用安全スイッチにおいて、
押圧作動部は、
安全柵が倒伏状態から起立状態に移行し安全柵が押圧部から離れたときに、押圧部をスイッチ本体部から離してスイッチ本体部をオフさせることを特徴とするエレベータ保守作業用安全スイッチ。
【請求項４】
請求項３に記載のエレベータ保守作業用安全スイッチにおいて、
押圧作動部は、付勢バネを含んで構成されることを特徴とするエレベータ保守作業用安全スイッチ。
【請求項５】
乗りかごと、
乗りかごの上に設けられた安全柵と、
請求項１から請求項４のいずれか１に記載のエレベータ保守作業用安全スイッチと、
を備えることを特徴とするエレベータ。
【発明の詳細な説明】
【技術分野】
【０００１】
本発明は、エレベータ保守作業用安全スイッチ及びエレベータに係り、特に、エレベータの運転状態を切り替えるスイッチを有するエレベータ保守作業用安全スイッチ及びエレベータ保守作業用安全スイッチを備えるエレベータに関する。
【背景技術】
【０００２】
エレベータの種々の保守作業の中には、保守作業員が乗りかごの上に乗って保守作業を行うことがあり、そのような保守作業を行う保守作業員の安全性を確保することが必要となる。具体的には、乗りかごの上に乗って保守作業を行うにあたり転落防止用の手摺りを設ける必要があったり、エレベータに設けられた安全スイッチを操作し、エレベータの運転状態を通常運転状態から保守運転状態に移行するための安全スイッチを解除してから保守作業を行わせることが必要であったりする。ここで、エレベータの乗りかごの上に設けられる安全スイッチは、例えば保守作業員が乗りかごの上で保守作業を行う際に手摺りを倒伏状態から起立状態とするが、注意を引きやすくするために手摺上に設けたりすることもある。しかし、複雑な構成の安全スイッチであれば、保守作業員が安全スイッチを操作することが面倒となりうる。
【０００３】
【特許文献１】特開２００７−６２９０６号公報
【発明の開示】
【発明が解決しようとする課題】
【０００４】
本発明の目的は、保守作業員が安全に保守作業を行うために、容易な操作でエレベータの運転状態を切り替えることのできるエレベータ保守作業用安全スイッチ及びそのエレベータ保守作業用安全スイッチを備えたエレベータを提供することである。
【課題を解決するための手段】
【０００５】
本発明に係るエレベータ保守作業用安全スイッチは、エレベータの乗りかごの上に設けられ、エレベータの運転状態を切り替えるスイッチ本体部と、エレベータの乗りかごの上に設けられた安全柵が倒伏状態にあるときにスイッチ本体部をオンするように作動する押圧部と、安全柵が倒伏状態から起立状態に移行するときにスイッチ本体部をオフするように押圧部を作動させる押圧作動部と、を備えることを特徴とする。
【０００６】
また、本発明に係るエレベータ保守作業用安全スイッチにおいて、押圧部は、安全柵が起立状態から倒伏状態に移行するときに安全柵が押圧部に当接しながら押圧部を押し動かし、押圧部からの押圧によってスイッチ本体部をオンさせることが好ましい。
【０００７】
また、本発明に係るエレベータ保守作業用安全スイッチにおいて、押圧作動部は、安全柵が倒伏状態から起立状態に移行し安全柵が押圧部から離れたときに、押圧部をスイッチ本体部から離してスイッチ本体部をオフさせることが好ましい。
【０００８】
また、本発明に係るエレベータ保守作業用安全スイッチにおいて、押圧作動部は、付勢バネを含んで構成されることが好ましい。
【０００９】
また、本発明に係るエレベータは、乗りかごと、乗りかごの上に設けられた安全柵と、上記のいずれか１に記載のエレベータ保守作業用安全スイッチと、を備えることが好ましい。
【発明の効果】
【００１０】
上記構成のエレベータ保守作業用安全スイッチ及びそのエレベータ保守作業用安全スイッチを備えたエレベータによれば、安全柵の起立あるいは倒伏への切り替えに連動してエレベータの運転状態を切り替えることができる。これにより、保守作業員がより容易な操作でエレベータの運転状態を切り替えることができる。
【発明を実施するための最良の形態】
【００１１】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１２】
図１は、本発明の一実施形態であるエレベータ保守作業用安全スイッチ１０とそのエレベータ保守作業用安全スイッチ１０を備えたエレベータ９の乗りかごの上７に設けられた安全柵５（倒伏状態）との関係を示す図である。図２は、安全柵５を倒伏状態から起立状態に移行する途中を示す図である。図３は、安全柵５を起立状態にした様子を示す図である。エレベータ９は、エレベータ制御盤の制御により昇降路内を乗りかごが昇降し、乗客を所望の階に移動させる。エレベータ９は、定期的に保守点検作業を行う必要がある。保守点検作業の中の一つには、保守作業員が乗りかごの上７に乗って、エレベータ９の保守点検を行うことがある。乗りかごの上７には、安全柵５とエレベータ保守作業用安全スイッチ１０とが設けられている。ここで、エレベータ制御盤は、エレベータ９を通常運転の状態で運転する通常運転モードと保守運転の状態で運転する保守運転モードを含んだ各運転状態に応じて、エレベータ９のシステム全体の制御を行う機能を有する。
【００１３】
安全柵５は、通常運転モード時に、乗りかごの上７の面に沿って倒伏され、保守作業モード時に、乗りかごの上７の面に垂直な状態となるように起立される。安全柵５は、保守作業員が乗りかごの上７に乗って保守点検作業を行うにあたり、乗りかごの上７から昇降路内に転落してしまうことを防止するための柵である。安全柵５は、第１手摺部１と第２手摺部２と第３手摺部３と第４手摺部４とを含んで構成される。
【００１４】
第１手摺部１は、乗りかごの上７の左側外周部に沿って設置された横桟１ａ，１ｂと縦桟１ｃとからなり、固定金具１ｄにおいて支点１ｅにより回転可能に設置されている。同様に、第２手摺部２は、乗りかごの上７の右側外周部に沿って設置された横桟２ａ，２ｂと縦桟２ｃからなり、固定金具２ｄにおいて支点２ｅにより回転可能に設置されている。
【００１５】
第３手摺部３は、横桟３ａ，３ｂと縦桟３ｃ，３ｄからなり、横桟３ａ，３ｂはヒンジ５ａ，５ｂによって第１手摺部１が起立状態の時に水平方向に乗りかごの上７の背面側外周部に沿って回転可能に設置されている。第４手摺部４は、横桟４ａ，４ｂと縦桟４ｃ，４ｄからなり、横桟４ａ，４ｂはヒンジ６ａ，６ｂによって第２手摺部２が起立状態の時に水平方向に乗りかごの上７の正面側外周部に沿って回転可能に設置されている。
【００１６】
図４は、エレベータ保守作業用安全スイッチ１０の斜視図である。図５は、エレベータ保守作業用安全スイッチからスイッチ本体部６０を取り外した様子を示す図である。エレベータ保守作業用安全スイッチ１０は、スイッチ本体部６０と押圧部２０と押圧作動部３０と支持部４０とヒンジ５０とを含んで構成される。エレベータ保守作業用安全スイッチ１０は、乗りかごの上７の正面側において、安全柵を倒伏するときに横桟１ａ（図２参照）によって押圧部２０の表面２０２が当接されるような位置に設けられる。
【００１７】
押圧部２０と支持部４０は、適当な強度を有する平板であり、長手方向に沿った端部が接触するように設けられる。支持部４０には、図４に示されるように、支持部４０の端面４０１と、スイッチ本体部６０の側面６８とが面一となるようにスイッチ本体部６０が取り付けられる。ヒンジ５０は、押圧部２０と支持部４０に跨って、押圧部２０が矢印Ａ方向に回動可能なように設けられる。また、押圧作動部３０は、押圧部２０を矢印Ａ方向に回動するような方向に付勢力を有するねじりコイルばねであり、一方側の端部は押圧部２０に取り付けられ、他方側の端部は支持部４０に取り付けられる。
【００１８】
安全柵が起立状態から倒伏状態に移行するときに安全柵の横桟１ａは、押圧部２０に当接しながら、押圧部２０を矢印Ａと反対の方向に押し動かす。そして、押圧部２０の裏面２０１は、スイッチ本体部６０のローラ部６２を押圧する。
【００１９】
図６は、図４における矢印Ｃ方向から見たエレベータ保守作業用安全スイッチ１０のスイッチ本体部６０がオン状態にある様子を示す図である。図７は、図４における矢印Ｃ方向から見たエレベータ保守作業用安全スイッチ１０のスイッチ本体部６０がオフ状態にある様子を示す図である。スイッチ本体部６０は、エレベータ制御盤と電気的に接続され、エレベータ９の運転状態を設定する機能を有する。スイッチ本体部６０は、スイッチ回路（図示しない）をその内部に有する筐体６６と、スイッチ切替棒部６４と、ローラ部６２とを含んで構成される。
【００２０】
スイッチ回路は、押圧されている状態の場合がオンとなり、押圧されていない状態の場合はオフとなる回路である。ローラ部６２は、スイッチ切替棒部６４の先端部に取り付けられるローラである。なお、スイッチ切替棒部６４は、押圧部２０によって押圧されないときは、図示しない付勢バネの付勢力によって矢印Ｂの方向に移動する。
【００２１】
安全柵が倒伏状態にあり、横桟１ａが押圧部２０に当接し、ローラ部６２が押圧部２０によって押圧されて、図６に示される位置にあるときは、スイッチ切替棒部６４がスイッチ回路を押圧している状態となる。
【００２２】
安全柵が倒伏状態から起立状態に移行し、横桟１ａが押圧部２０から離れたときは、
ローラ部６２が矢印Ｂの方向に移動する。そして、ローラ部６２が図７に示される位置にあるときは、スイッチ切替棒部６４がスイッチ回路を押圧していない状態となる。ここで、スイッチ回路がオン状態のときは、エレベータ９の運転モードは通常運転モードとなり、スイッチ回路がオフ状態のときは、エレベータ９の運転モードは保守運転モードとなって、エレベータ９の運転が制御される。
【００２３】
続いて、上記構成からなるエレベータ保守作業用安全スイッチ１０を備えたエレベータ９の動作について図１〜図７を参照して説明する。保守作業員は、エレベータ９の保守点検を行う際に、乗りかごを停止して、乗りかごの上７に乗って保守作業を行う必要がある。通常運転のときは、エレベータ９において、図１に示されるように、第１手摺部１と第２手摺部２とが倒れて安全柵５が倒伏状態となっている。このとき、第１手摺部１の横桟１ａが押圧部２０の表面２０２に当接し、押圧部２０によってスイッチ本体部６０のローラ部６２が押圧されている状態（図６）にあるからスイッチ回路はオンの状態である。これにより、エレベータ９の運転モードは通常運転モードとなっている。
【００２４】
保守作業員が保守作業を行う時には、安全柵５を起立状態とするために、まず第１手摺部１を起立させる。このとき、第１手摺部１の横桟１ａが押圧部２０の表面２０２から離れて、押圧作動部３０の付勢力によって、押圧部２０は矢印Ａ方向に回動する。ここで、ローラ部６２は図示しない付勢バネの付勢力によって矢印Ｂの方向に移動し、スイッチ本体部６０のローラ部６２が押圧されていない状態（図７）となるからスイッチ回路はオフの状態である。これにより、エレベータ９の運転モードは保守運転モードとなる。次に、第２手摺部２を起立させ、図３に示されるように安全柵５を起立状態とした後に保守作業を行う。
【００２５】
上記のように、保守作業員が乗りかごの上７に乗って保守作業を行う際に、倒伏状態にある安全柵５を起立状態に移行するが、第１手摺部１の横桟１ａを起立すると必然的にエレベータ９の運転モードも保守運転モードへと切り替わるため、より容易な操作でエレベータの運転状態を切り替えることができる。
【００２６】
また、保守作業員が保守作業を終えた後は、起立状態にある安全柵５を倒伏状態に移行するが、第１手摺部１の横桟１ａを倒伏すると必然的にエレベータ９の運転モードも通常運転モードへと切り替わるため、より容易な操作でエレベータの運転状態を切り替えることができる。
【図面の簡単な説明】
【００２７】
【図１】本発明の一実施形態であるエレベータ保守作業用安全スイッチとそのエレベータ保守作業用安全スイッチを備えたエレベータの乗りかご上に設けられた安全柵（倒伏状態）との関係を示す図である。
【図２】安全柵を倒伏状態から起立状態に移行する途中を示す図である。
【図３】安全柵を起立状態にした様子を示す図である。
【図４】エレベータ保守作業用安全スイッチの斜視図である。
【図５】エレベータ保守作業用安全スイッチからスイッチ本体部を取り外した様子を示す図である。
【図６】スイッチ本体部がオン状態にある様子を示す図である。
【図７】スイッチ本体部がオフ状態にある様子を示す図である。
【符号の説明】
【００２８】
１ａ，１ｂ，２ａ，２ｂ，３ａ，３ｂ，４ａ，４ｂ  横桟、１ｄ，２ｄ  固定金具、１ｅ，２ｅ  支点、１，２，３，４  手摺部、１ｃ，２ｃ，３ｃ，３ｄ，４ｃ，４ｄ  縦桟、５ａ，５ｂ，６ａ，６ｂ，５０  ヒンジ、５  安全柵、７  乗りかご上、９  エレベータ、１０  エレベータ保守作業用安全スイッチ、２０  押圧部、３０  押圧作動部、４０  支持部、６０  スイッチ本体部、６２  ローラ部、６４  スイッチ切替棒部、６６  筐体、６８  側面、２０１  裏面、２０２  表面、４０１  端面。
【図１】
2010070320.tif 000003
【図２】
2010070320.tif 000004
【図３】
2010070320.tif 000005
【図４】
2010070320.tif 000006
【図５】
2010070320.tif 000007
【図６】
2010070320.tif 000008
【図７】
2010070320.tif 000009